(57)【要約】【課題】径を拡大することなく高出力を得る。【解決手段】マグネット２，ヨーク３で構成される磁路にコイルが巻線されたディスク形のロータ４を配置してなるマグネット２，ヨーク３，ロータ４の組を回転シャフト７の軸方向に複数並列させ、各組のロータ４のコイルを直列又は並列に接続した。【選択図】    図１
2004229426.tif 000002
【特許請求の範囲】
【請求項１】
マグネット，ヨークで構成される磁路にコイルが巻線されたディスク形のローータを配置してなる電磁誘導機において、マグネット，ヨーク，ロータの組を回転シャフトの軸方向に複数並列させ、各組のロータのコイルを接続することを特徴とする電磁誘導機。
【請求項２】
請求項１の電磁誘導機において、回転シャフトに各ロータが取付けられる回転シャフトよりも大径の共通のロータ取付用ボスを固定し、各組のロータのコイルを接続する電線をロータ取付用ボスの内部に配線したことを特徴とする電磁誘導機。
【請求項３】
請求項１または２の電磁誘導機において、マグネット，ヨーク，ロータの隣接する２組を１つのユニットとして、共通のヨークの両端面にそれぞれマグネットを設けて各組のロータの間に配置したことを特徴とする電磁誘導機。
【発明の詳細な説明】
【０００１】
【発明の属する技術分野】本発明は、ディスク形のロータを備えた電動機，発電機等の電磁誘導機に係る技術分野に属する。
【０００２】
【従来の技術】従来、電磁誘導機としては、例えば、マグネット，ヨークで構成される磁路にコイルが巻線されたディスク形のロータを配置してなるものが知られている。
【０００３】
この従来の電磁誘導機は、ロータのコイルをディスクにプリントするものに比して高出力を期待できるため、比較的大型の直流モータとして提供されている。なお、ロータの巻線されたコイルは、合成樹脂材等でモールドされる。
【０００４】
【発明が解決しようとする課題】前述の従来の電磁誘導機では、さらなる高出力を指向した場合、マグネットを増加して径を大きくしなければならないという問題点がある。
【０００５】
なお、マグネットの増加による径の拡大を回避してさらなる高出力を指向するには、ロータのコイルの巻線を増加させることが考えられる。然しながら、コイルの巻線の増加が巻線の積層厚さの増加（特に、内周側）をもたらし、磁路を構成するマグネット，ヨークの間隔を広げてしまうことになって、結果的に高出力を得ることができないということになる。
【０００６】
本発明は、このような問題点を考慮してなされたもので、径を拡大することなく高出力を得ることのできる電磁誘導機を提供することを課題とする。
【０００７】
【課題を解決するための手段】前述の課題を解決するため、本発明に係る電磁誘導機は、次のような手段を採用する。
【０００８】
即ち、請求項１では、マグネット，ヨークで構成される磁路にコイルが巻線されたディスク形のロータを配置してなる電磁誘導機において、マグネット，ヨーク，ロータの組を回転シャフトの軸方向に複数並列させ、各組のロータのコイルを接続することを特徴とする。
【０００９】
この手段では、マグネットを増加させず、複数のロータを並列させることで実質的にロータのコイルの巻線を増加させているため、径を拡大することなく高出力を得ることができる。
【００１０】
また、請求項２では、請求項１の電磁誘導機において、回転シャフトに各ロータが取付けられる回転シャフトよりも大径の共通のロータ取付用ボスを固定し、各組のロータのコイルを接続する電線をロータ取付用ボスの内部に配線したことを特徴とする。
【００１１】
この手段では、並列される複数のロータが共通のロータ取付用ボスに安定的に取付けられ、ロータのコイルを接続する電線がロータ取付用ボスを利用して配線される。
【００１２】
また、請求項３では、請求項１または２の電磁誘導機において、マグネット，ヨーク，ロータの隣接する２組を１つのユニットとして、共通のヨークの両端面にそれぞれマグネットを設けて各組のロータの間に配置したことを特徴とする。
【００１３】
この手段では、マグネット，ヨーク，ロータの隣接する２組でヨークの一部が共通化される。
【００１４】
【発明の実施の形態】以下、本発明に係る電磁誘導機の実施の形態を図面に基づいて説明する。
【００１５】
この実施の形態は、フラットタイプの直流モータを示してある。
【００１６】
この実施の形態は、最中合わせのケーシング１の内部にマグネット２，ヨーク３，ロータ４の組を２組収容してなる。
【００１７】
ケーシング１は、ラジアルベアリング５，スラストベアリング６を介して中心に回転シャフト７を回転可能に支持している。回転シャフト７は、片側駆動としてケーシング１の一方側にのみ引出されている。
【００１８】
回転シャフト１には、相対的に大径のロータ取付用ボス８が嵌合固定されている。ロータ取付用ボス８は、両端面にロータ４を取付けるための段部８ａが形成され、段部８ａに嵌合取付けされたロータ４を締付け固定する締付部材８ｂが付属している。
【００１９】
ロータ取付用ボス８に取付けられた２枚のロータ４は、コイルがロータ取付用ボス８の内部に配設された電線９によって接続されている。電線９は、ロータ４のコイルの巻線形状、巻線配列等に応じて直列または並列に接続する。従って、２枚のロータ４が共通する１つの部材であるロータ取付用ボス８に取付けられ、接続のための電線９が被取付部材であるロータ取付用ボス８の内部に配設されて無用の回転構造物を構成しないため、２枚のロータ４の回転が安定化される。なお、一方のロータ４には、ブラシ１０が当接されている。
【００２０】
ヨーク３は、２枚のロータ４の間に位置してケーシング１に挟持された１枚のリング板３ａと、ケーシング１の内側端面に接合固定された２枚のリング板３ｂ，３ｃとからなる。そして、マグネット２は、ヨーク３の２枚のロータ４の間に位置するリング板３ａの両端面にそれぞれ固定されている。従って、マグネット２，ヨーク３，ロータ４の２組において、ヨーク３の２枚のロータ４の間に位覆するリング板３ａが共通化されている。このため全体構造がコンパクト化される。
【００２１】
この実施の形態によると、複数のロータ４を並列させることで実質的にロータ４のコイルの巻線を増加させているため、高出力を得ることができる。また、マグネット２を増加させていないため、全体の径が拡大されることがない。
【００２２】
以上、図示した実施の形態の外に、直流モータ以外の電動機や発電機等にも適用することが可能である。
【００２３】
さらに、マグネット２，ヨーク３，ロータ４の組を３組以上並列させることも可能である。
【００２４】
【発明の効果】以上のように、本発明に係る電磁誘導機は、マグネットを増加させず、複数のロータを並列させることで実質的にロータのコイルの巻線を増加させているため、径を拡大することなく高出力を得ることができる効果がある。
【００２５】
さらに、請求項２として、並列される複数のローータが共通のロータ取付用ボスに安定的に取付けられ、ロータのコイルを接続する電線がロータ取付用ボスを利用して配線されるため、複数のロータの回転が安定化する効果がある。
【００２６】
さらに、請求項３として、マグネット，ヨーク，ロータの隣接する２組でヨークの一部が共通化されるため、全体構造がコンパクト化される効果がある。
【図面の簡単な説明】
【図１】本発明に係る電礎誘導機の実施の形態を示す正面断面図である。
【図２】図１の中央横断面図である。
【符号の説明】
１            ケーシング
２            マグネット
３            ヨーク
４            ロータ
７            回転シャフト
８            ロータ取付用ボス
【図１】
2004229426.tif 000003
【図２】
2004229426.tif 000004